(57)【要約】【課題】通信機能を持たない健康機器を用いつつ、複数のサーバ装置を持つことが可能な健康管理システムを提供すること。【解決手段】生体情報を管理、処理するためのサーバ装置と、ユーザが生体情報を計測する健康機器２と、健康機器２に挿入して使用する通信カード１から構成される健康管理システムにおいて、通信カード１に健康機器動作情報１１４及びサーバ装置接続情報１１２を格納し、健康機器動作情報１１４に従って健康機器２を動作させて生体情報を計測し、サーバ装置接続情報１１２に従って、健康機器２で計測した生体情報を通信カード１からサーバ装置へ転送する。【選択図】図２
2009095570.tif 000002
【特許請求の範囲】
【請求項１】
生体情報を管理、処理するためのサーバ装置と、
ユーザが生体情報を計測する健康機器と、
健康機器に挿入して使用する通信カードとから構成される健康管理システムにおいて、
通信カードに健康機器動作情報及びサーバ装置接続情報を格納し、
前記健康機器動作情報に従って健康機器を動作させて生体情報を計測し、
前記サーバ装置接続情報に従って、健康機器で計測した生体情報を通信カードからサーバ装置へ転送する
ことを特徴とする健康管理システム。
【請求項２】
前記通信カードに、ユーザ毎にカスタマイズされた健康機器動作情報及びサーバ装置接続情報が複数個格納されており、
ユーザに応じて前記健康機器動作情報または前記サーバ装置接続情報を選択する
ことを特徴とする請求項１に記載の健康管理システム。
【請求項３】
前記通信カードに、健康機器の計測周期や生体情報の蓄積周期を調整するための情報蓄積動作情報が格納されており、
通信状態や健康機器の動作状態に応じて、健康機器の計測周期や生体情報の蓄積周期を調整する
ことを特徴とする請求項１又は２に記載の健康管理システム。
【請求項４】
前記通信カードに、健康機器毎にカスタマイズされた健康機器動作情報及び情報蓄積動作情報が複数個格納されており、
健康機器の種別に応じて前記健康機器動作情報または前記情報蓄積動作情報を選択する
ことを特徴とする請求項１〜３のいずれか１項に記載の健康管理システム。
【請求項５】
前記通信カードに、ユーザが健康機器を操作するためのサービス情報が格納されており、
健康機器が前記サービス情報を前記通信カードより取得して実行する
ことを特徴とする請求項１〜４のいずれか１項に記載の健康管理システム。
【請求項６】
前記通信カードに、ユーザが健康機器を操作するためのサービス情報が複数個格納されており、
健康機器が前記健康機器の種別や動作状況によってサービス情報を選択し、前記サービス情報を前記通信カードより取得して実行する
ことを特徴とする請求項１〜４のいずれか１項に記載の健康管理システム。
【請求項７】
前記通信カードに、ユーザの生体情報が格納されており、
健康機器が実行するサービスで前記生体情報が関連していれば利用する
ことを特徴とする請求項５又は６記載の健康管理システム。
【請求項８】
前記通信カードに保持される生体情報は、情報の種別またはサービスの内容によって保持期限が設定されている
ことを特徴とする請求項７記載の健康管理システム。
【請求項９】
前記通信カードがサーバ装置と直接通信できない場合、健康機器で計測した生体情報をGW装置に転送し、GW装置がサーバ装置接続情報を参照して生体情報をサーバへ転送する
ことを特徴とする請求項１〜８のいずれか１項に記載の健康管理システム。
【請求項１０】
前記通信カードと前記GW装置の通信が非IP通信で、前記GW装置と前記サーバ装置との通信がIP通信である
ことを特徴とする請求項９に記載の健康管理システム。
【請求項１１】
前記通信カードが近距離無線通信インタフェースを搭載している場合には、GW装置と通信する
ことを特徴とする請求項１〜１０のいずれか１項に記載の健康管理システム。
【請求項１２】
前記通信カードが遠距離無線通信インタフェースを搭載している場合には、サーバ装置と通信する
ことを特徴とする請求項１〜１０のいずれか１項に記載の健康管理システム。
【請求項１３】
前記通信カードが近距離無線通信インタフェースと遠距離無線通信インタフェースを搭載している場合には、通信状況に応じてGW装置またはサーバ装置と通信する
ことを特徴とする請求項１〜１０のいずれか１項に記載の健康管理システム。
【請求項１４】
前記通信カードは、大容量記憶メモリを具備し、
補助記憶装置としても使用できるコンボカードである
ことを特徴とする請求項１〜１３のいずれか１項に記載の健康管理システム。
【請求項１５】
生体情報を管理、処理するためのサーバ装置と、
ユーザが生体情報を計測する健康機器と、
健康機器に挿入して使用する通信カードとから構成される健康管理システムにおいて、
健康機器動作情報及びサーバ装置接続情報を格納し、
前記健康機器動作情報に従って健康機器を動作させて生体情報を計測し、
健康機器で計測した生体情報を前記サーバ装置接続情報と共に送信する
ことを特徴とする通信カード。
【請求項１６】
ユーザ毎にカスタマイズされた健康機器動作情報及びサーバ装置接続情報が複数個格納されており、
ユーザに応じて前記健康機器動作情報または前記サーバ装置接続情報を選択する
ことを特徴とする請求項１５に記載の通信カード。
【請求項１７】
健康機器の計測周期や生体情報の蓄積周期を調整するための情報蓄積動作情報が格納されており、
通信状態や健康機器の動作状態に応じて、健康機器の計測周期や生体情報の蓄積周期を調整する
ことを特徴とする請求項１５又は１６に記載の通信カード。
【請求項１８】
健康機器毎にカスタマイズされた健康機器動作情報及び情報蓄積動作情報が複数個格納されており、
健康機器の種別に応じて前記健康機器動作情報または前記情報蓄積動作情報を選択する
ことを特徴とする請求項１５又は１６に記載の通信カード。
【請求項１９】
ユーザが健康機器を操作するためのサービス情報が格納されており、
健康機器が前記サービス情報を前記通信カードより取得して実行する
ことを特徴とする請求項１５〜１８のいずれか１項に記載の通信カード。
【請求項２０】
ユーザが健康機器を操作するためのサービス情報が複数個格納されており、
健康機器が前記健康機器の種別や動作状況によってサービス情報を選択し、前記サービス情報を前記通信カードより取得して実行する
ことを特徴とする請求項１５〜１９のいずれか１項に記載の通信カード。
【請求項２１】
ユーザの生体情報が格納されており、
健康機器が実行するサービスで前記生体情報が関連していれば利用する
ことを特徴とする請求項２０に記載の通信カード。
【請求項２２】
前記保持される生体情報は、情報の種別またはサービスの内容によって保持期限が設定されている
ことを特徴とする請求項２１に記載の通信カード。
【請求項２３】
前記サーバ装置と直接通信できない場合に、健康機器で計測した生体情報をサーバ装置接続情報と共にGW装置に転送する
ことを特徴とする請求項１５〜２２のいずれか１項に記載の通信カード。
【請求項２４】
近距離無線通信インタフェースを搭載している場合には、GW装置と通信する
ことを特徴とする請求項１５〜２３のいずれか１項に記載の通信カード。
【請求項２５】
遠距離無線通信インタフェースを搭載している場合には、サーバ装置と通信する
ことを特徴とする請求項１５〜２３のいずれか１項に記載の通信カード。
【請求項２６】
近距離無線通信インタフェースと遠距離無線通信インタフェースを搭載している場合には、通信状況に応じてGW装置またはサーバ装置と通信する
ことを特徴とする請求項１５〜２３のいずれか１項に記載の通信カード。
【請求項２７】
大容量記憶メモリを具備し、
補助記憶装置としても使用できるコンボカードである
ことを特徴とする請求項１５〜２６のいずれか１項に記載の通信カード。
【請求項２８】
生体情報を管理、処理するためのサーバ装置と、
ユーザが生体情報を計測する健康機器と、
健康機器に挿入して使用する通信カードと、
通信カードから生体情報を取得しサーバ装置へと送受信するGW装置と、
前記GW装置に挿入して使用するGWカードとから構成される健康管理システムにおいて、
通信カードに健康機器動作情報及びサーバ装置接続情報を格納し、
前記健康機器動作情報に従って健康機器を動作させて生体情報を計測し、
通信カードよりGWカードに前記生体情報を送信し、
GWカードで前記サーバ装置接続情報を参照して、サーバ装置に生体情報を転送する
ことを特徴とする健康管理システム。
【請求項２９】
前記GWカードは、通信カードを探索する手段を備え、
前記GWカードが通信カード設定情報と健康機器設定情報を収集する
ことを特徴とする請求項２８に記載の健康管理システム。
【請求項３０】
前記GWカードは、ユーザが健康機器を操作するためのサービス情報をサーバ装置からダウンロードする手段を備え、
前記健康機器設定情報に応じてダウンロードするサービス情報を設定する
ことを特徴とする請求項２８又は２９に記載の健康管理システム。
【請求項３１】
前記GWカードは、サーバ装置との遠距離通信手段を具備し、
前記GWカードを健康機器に挿入した場合に、健康機器で計測された生体情報をサーバ装置へと送る
ことを特徴とする請求項２８〜３０のいずれか１項に記載の健康管理システム。
【請求項３２】
生体情報を管理、処理するためのサーバ装置と、
ユーザが生体情報を計測する健康機器と、
健康機器に挿入して使用する通信カードと、
通信カードから生体情報を取得しサーバ装置へと送受信するGW装置と、
前記GW装置に挿入して使用するGWカードと、
ユーザが携帯する情報端末と、
前記情報端末に挿入して使用する情報端末カードとから構成される健康管理システムにおいて、
通信カードに健康機器動作情報及びサーバ装置接続情報を格納し、
前記健康機器動作情報に従って健康機器を動作させて生体情報を計測し、
通信カードより情報端末カードに前記生体情報を送信し、
情報端末カードよりGWカードへ前記生体情報を転送し、
GWカードで前記サーバ装置接続情報を参照して、サーバ装置に生体情報を転送する
ことを特徴とする健康管理システム。
【請求項３３】
前記情報端末は、通信カードを挿入するとサービス情報を取得し、新規にメニューを表示してサービスを実施する
ことを特徴とする請求項３２に記載の健康管理システム。
【請求項３４】
前記通信カードは、請求項１５〜２５に記載の通信カードである
ことを特徴とする請求項２８〜３３のいずれか１項に記載の健康管理システム。
【発明の詳細な説明】
【技術分野】
【０００１】
本発明は、健康機器によって計測した生体情報をサーバ装置で収集することでユーザの健康管理を行う、健康管理システムに関するものである。特に、通信機能を持つ通信カードを健康機器に挿入して、生体情報を集める健康管理システムに関するものである。
【背景技術】
【０００２】
近年の健康に対する関心の高まりによって、健康機器を用いてユーザの生体情報を計測し、計測した生体情報をサーバ装置で収集することで健康管理を行うシステムが登場してきている。
【０００３】
特に、プライバシー保護やユーザニーズに合わせたきめ細かいサービス実施の観点から、ユーザ情報を含めたカードを利用した健康管理システムが提案されている。
【０００４】
従来の技術として、健康機器が接続されたユーザ端末にIDが付与されたカードを挿入して、そのIDを用いてウェブサーバでユーザ認証を行い、健康機器で計測したユーザの生体情報をウェブサーバに送信することで、ユーザ毎に健康状態を管理する健康管理システムがあった（例えば、特許文献１参照）。
【０００５】
さらに、個人情報とサーバ装置への通信設定情報をカードに記憶しておき、そのカードを健康機器に挿入して健康機器の通信設定を行うことで、ユーザの生体情報をサーバ装置に集める健康管理支援システムがあった（例えば、特許文献２参照）。
【特許文献１】特開２００６−１１９７７３号公報
【特許文献２】特開２００５−１６８６２４号公報
【発明の開示】
【発明が解決しようとする課題】
【０００６】
しかしながら、前記特許文献１に示す構成では、フィットネスクラブなどの限定された場所での使用を目的としており、予めネットワークに接続されているユーザ端末または健康機器が存在することが前提である。このため、一般で市販されているような通信機能を持たない健康機器を用いて、同様の健康管理システムを構築することができないという課題を有している。
【０００７】
また、前記特許文献２に示す構成では、通信手段を有するのは健康機器である。このため、健康機器が複数存在する場合には、全ての健康機器にサーバ装置と通信するための通信手段を実装する必要がある。また、健康機器からサーバ装置への通信は、使用者によって固定されたカード内の接続情報のみで設定を行っている。このため、生体情報の宛先として複数のサーバ装置が存在する場合に、前記特許文献２に示す従来の健康管理システムでは対応することができないという課題を有している。
【０００８】
本発明は、前記従来の課題を解決するもので、通信機能を持たない健康機器を用いつつ、複数のサーバ装置を持つことが可能な健康管理システムを提供することを目的とする。
【課題を解決するための手段】
【０００９】
前記従来の課題を解決するために、本発明の健康管理システムは、生体情報を管理、処理するためのサーバ装置と、ユーザが生体情報を計測する健康機器と、健康機器に挿入して使用する通信カードとから構成される健康管理システムにおいて、通信カードに健康機器動作情報及びサーバ装置接続情報を格納し、前記健康機器動作情報に従って健康機器を動作させて生体情報を計測し、前記サーバ装置接続情報に従って、健康機器で計測した生体情報を通信カードからサーバ装置へ転送することを特徴とする。
【００１０】
本構成によって、通信カードの内部情報によって生体情報の宛先となるサーバ装置を決定することができると共に、通信カードを用いて健康機器の動作を設定することが可能となる。
【００１１】
なお、その他の構成については、後述する実施の形態で述べる。
【発明の効果】
【００１２】
本発明の健康管理システムによれば、通信手段を持たない健康機器を用いて複数のサーバ装置宛に健康情報を送ることを可能とする。例えば、健康機器に通信カードとのインタフェースを実装し、通信カードには各サーバ装置への通信手段とサービス毎のサーバ宛先情報を記録し、健康機器に通信カードを挿入することで、健康機器で計測した生体情報の宛先となるサーバ装置への接続を確立することができる。
【００１３】
また、通信カード内から健康機器へ動作情報を提供することで、ユーザやサービスに適するように健康機器を動作させることが可能となる。
【発明を実施するための最良の形態】
【００１４】
以下、本発明の実施の形態について、図面を参照しながら説明する。
【００１５】
（実施の形態１）
（基本構成）
図１は、本発明の実施の形態１における健康管理システムの全体を示す図である。
【００１６】
図１において、健康機器２は、ユーザの生体情報を計測するための装置である。例えば、体温、体重、血圧、血糖値などを計測する。これらは、ユーザが必要に応じて計測する場合や、常時ユーザが装着して計測する場合がある。また、健康機器２には、通信カード１を挿入するためのコネクタ、スロットが搭載されている。
【００１７】
通信カード１は、健康機器２に接続、挿入されて利用されるカードであり、健康機器２で計測されるユーザの生体情報を、GW装置３との間で片方向、または双方向で通信するための装置である。
【００１８】
通信カード１は、例えば、RS-232C、USB、SD、SDIO、コンパクトフラッシュ（登録商標）などのインタフェースを持ったカードが相当する。また、必要に応じて健康機器２で計測されたユーザの生体情報を蓄積する機能を持つ。
【００１９】
通信カード１は、GW装置３と通信することにより、インターネットなどのWAN接続によるネットワーク５を介してサーバ装置４と通信する。なお、通信カード１がサーバ装置４と直接WAN通信を行える場合には、GW装置３を介さず直接通信しても良い。通信カード１がサーバ装置４と直接通信できない場合には、GW装置３との間でローカル通信し、GW装置３がサーバ装置４とWAN通信する。
【００２０】
GW装置３は、中継装置であり、少なくとも通信カード１と通信するローカル通信機能と、サーバ装置４と通信するWAN通信機能を有する。
【００２１】
ここで、ローカル通信とは、有線、無線の近距離通信のことを示す。有線通信としては、例えば、シリアルケーブル、USBなどが挙げられる。無線通信としては、例えば、無線LAN、Bluetooth、ZigBee、特定省電力無線などが挙げられる。
【００２２】
ここで、WAN通信とは、例えば、有線通信では、光ファイバやADSLなどのリンクを用いたIP通信や専用線通信などが挙げられ、無線通信では、携帯電話やWiMAXなどのリンクを用いたIP通信や専用通信が挙げられる。
【００２３】
サーバ装置４がIP通信機能を有している場合、健康機器２は以下の通信を行う。
通信カード１が直接IP通信機能を有している場合には、サーバ装置４のIPアドレスやポート番号などを指定して通信を行う。
【００２４】
通信カード１が直接IP通信機能を有していない場合には、サーバ装置４のIPアドレスやポート番号などを指定した情報をサーバ装置接続情報として保持し、通信毎に、もしくは事前にGW装置３に通知する。通信カード１とGW装置３の間はローカル通信を行い、GW装置３とサーバ装置４との間はサーバ装置接続情報を参照してIP通信を行う。
【００２５】
通信カード１は健康機器２に常時接続されている場合と、常時接続されていない場合とがある。前者の場合には、健康機器２で計測された生体情報は、リアルタイムに、もしくは所定のパターンによって送信される。後者の場合には、通信可能になるまで、健康機器２もしくは通信カード１内のメモリに生体情報が格納され、通信可能になった場合に送信される。
【００２６】
なお、通信カード１は、大容量記憶メモリを持たせることで、例えばUSBメモリのような補助記憶装置として使用しても良い。
【００２７】
（通信カードの格納情報と健康機器動作）
図２は、本発明の実施の形態１における通信カードと健康機器を示す図である。図２において、図１と同じ構成要素については同じ符号を用い、説明を省略する。
【００２８】
通信カード１は、情報蓄積部１１に少なくとも健康機器動作情報１１４と、サーバ装置接続情報１１２を持つ。さらに、ユーザ情報１１３、情報蓄積動作情報１１５、サービス情報１１６を持っても良い。また、通信カード１は健康機器と通信を行うカード通信インタフェース部１３と、GW装置３やサーバ装置とローカル通信またはWAN通信を行う外部通信インタフェース部１２を持つ。通信カード１が大容量記憶メモリを備えており、補助記憶装置の働きをする場合には、情報蓄積部１１は記憶メモリ内に存在しても良いし、ユーザからはアクセスすることのできない他の領域に存在しても良い。
【００２９】
健康機器２は、通信カード１を挿入する通信カードスロット２１を持ち、カード通信インタフェース部１３によって通信カード１との通信を行う。センサ機能２２は、ユーザをセンサによって計測するための機能であり、ユーザによる操作、もしくは所定のパターンの動作によって計測を行う。サービス実施機能２３は、健康機器２のアプリケーションを実行する機能である。サービス選択機能２５は、ユーザがメニューからサービスを選択したり、サービスのための操作を入力したりする機能である。サービス表示機能２４は、サービスの情報を表示する機能であり、例えば画面へ計測データの履歴表示や、生体情報の解析結果出力などを行う。
【００３０】
健康機器動作情報１１４は、通信カード１が挿入された健康機器２の動作パラメータなどを意味し、健康機器２のセンサ機能２２などの動作パラメータを設定する情報である。例えば、体重計であれば、Kg、ポンドなどの計測単位、計測の上限、下限値などである。通信カード１は、このような健康機器動作情報１１４を１つ以上格納するものとする。
【００３１】
なお、通信カード１は、健康機器２の属性に依存することなく、複数の健康機器動作情報１１４を格納しておき、健康機器２の種別に応じて、対応する健康機器動作情報１１４を健康機器２に提供しても良い。このとき、健康機器２内の健康機器情報１１７を通信カードの健康機器認識部１４で認識することで、健康機器２の種別を判定する。健康機器情報１１７として、製品番号やシリアル番号、機器識別番号などが挙げられる。また、健康機器動作情報１１４は、ユーザで共通の場合もあるし、各ユーザ単位に調整されている場合もある。
【００３２】
サーバ装置接続情報１１２は、サーバ装置４と接続するための設定情報である。例えば、サーバ装置４のIPアドレスやポート番号がそれに該当する。また、電話通信の場合には電話番号がそれに該当する。
【００３３】
情報蓄積動作情報１１５は、通信カード１がGW装置３やサーバ装置４と通信できない場合や計測した生体情報を蓄積する時に用いる計測周期や蓄積周期などの情報である。通信カード１より健康機器２へ、情報蓄積動作情報１１５を通知すると、健康機器２は、計測周期や蓄積周期を変更する場合もある。また、健康機器２で計測した生体情報１１１の蓄積場所は、健康機器２の場合もあるし、通信カード１の情報蓄積部１１に蓄積する場合もある。いずれの場合にも、通信可能になった場合には、蓄積されている生体情報を通信カード１より送信する。
【００３４】
例えば、健康機器２がウェアラブル体温計の場合、計測周期とは、計測する時間単位などを示す。また、蓄積周期とは、計測した生体情報をどの時間単位で蓄積するかのルールなどを指す。例えば、１秒周期で体温が計測されているとき、体温データは同じ周期で蓄積される場合もあるし、通信カード１または健康機器２の搭載メモリなどのサイズに応じて、本体メモリ消費がN%以下であれば１秒周期で、それ以降は１０秒周期で蓄積するなど、適応的に調整される場合もある。
【００３５】
ユーザ情報１１３は、通信カード１を所有するユーザの情報である。例えば、メールアドレス、患者IDなど、本データを管理する団体が認識、識別可能な個人識別IDである。
【００３６】
なお、ユーザ情報１１３は、健康機器２で設定されている場合もある。その場合、通信カード１もしくは健康機器２のどちらかのユーザ情報１１３を利用するか、両方を併記しても良い。
【００３７】
サービス情報１１６は、健康機器にサービスを提供するアプリケーション情報であり、サービスメニューやコンテンツ、プログラムが該当する。なお、サービスの実施は、通信カード１から健康機器２にサービス情報を提供して健康機器２内で実行しても良い。また、サービス実施機能２３が通信カード１内にある場合には、通信カード１内でサービスを実施して、健康機器２で結果を出力しても良い。
【００３８】
（通信パケット）
通信カード１が、GW装置３やサーバ装置４と通信するための通信パケット１５を例に示す。通信パケット１５は、生体情報１１１、サーバ装置接続情報１１２、ユーザ情報１１３の一部または全部を含むパケットである。生体情報１１１は、健康機器２で計測されたデータのスカラ、もしくはベクトル量であり、それらを一つ以上含んだものである。なお、通信パケット１５は、同期用のパケットとして使用することも可能であり、その場合には生体情報１１１を含まなくとも良い。
【００３９】
通信カード１は、サーバ装置接続情報１１２を含んだ通信パケット１５をGW装置３へ転送し、GW装置３がサーバ装置接続情報１１２を参照してデータを転送する。なお、通信カード１がサーバ装置４と直接通信することが可能である場合には、GW装置３を介さずに通信パケット１５をサーバ装置４へ直接送信しても良い。
【００４０】
（通信シーケンス）
図３は、本発明の実施の形態１における通信シーケンスの一例を示す図である。図３において、図１と同じ構成要素については同じ符号を用い、説明を省略する。
【００４１】
＜ステップＳ１＞
健康機器２のカードスロットへ通信カード１を挿入する。通信カード１のカード通信インタフェースによって健康機器との情報の送受信が可能となる。
【００４２】
なお、健康機器２に通信カード１が付随して販売されるような場合には、予め通信カード１は健康機器２に挿入されており、本ステップを省略しても良い。
【００４３】
＜ステップS２＞
通信カード１が健康機器２の情報を取得する。
【００４４】
なお、予め通信カード１を挿入する健康機器２が特定されている場合には、本ステップは省略しても良い。
【００４５】
＜ステップＳ３＞
ステップＳ２で取得した情報を用いて、健康機器２を識別する。通信カード１には、予め健康機器動作情報や情報蓄積動作情報などの健康機器２を操作するための情報が一つまたは複数個記録してあり、この識別結果に応じて情報を選択する。また、通信カード内に複数のサービス情報が存在する場合にも、健康機器の識別結果に応じて情報を選択する。
【００４６】
なお、情報がユーザに依存したり、予めサービスが決定されていたりする場合には、健康機器の識別結果を必ず使用しなくとも良い。
【００４７】
＜ステップＳ４＞
通信カード１に記録されている健康機器動作情報や情報蓄積動作情報を用いて、健康機器２の機能を設定する。さらに、通信カード１内にサービス情報が存在する場合には、健康機器２へサービス情報を送り、サービスを実行する。
【００４８】
なお、健康機器の設定時には、健康機器２が通信カード１の挿入前に元々保持していた情報を用いて機能を設定しても良い。
【００４９】
＜ステップＳ５＞
健康機器２が計測を行う。計測の方法としては、例えば体重計を用いる場合には、ユーザが体重計の上に乗ることで体重データを取得するなどの計測方法がある。また、常時接続されているウェアラブル体温計を用いる場合には、所定の時間パターンに合わせて定期的に体温データを取得するなどの計測方法がある。
【００５０】
＜ステップＳ６＞
健康機器２によって計測された生体情報は、通信カード１内、もしくは健康機器２内に蓄積される。なお、通信カード１がすぐに通信を行う場合には、このステップＳ４を省略して生体情報を蓄積しなくとも良い。また、情報蓄積動作情報の設定によって、計測周期と蓄積周期が異なる場合もある。
【００５１】
通信カード１がすぐに通信を開始しない場合には、ステップＳ３とステップＳ４を繰り返して計測を続けるか、通信開始まで待機するかのどちらかの処理を行う。
【００５２】
＜ステップＳ７＞
通信カード１内には複数のサーバ装置接続情報が記録されており、健康機器２の識別や動作、実施サービスの内容、生体情報の値などに応じて宛先となるサーバ装置のサーバ装置接続情報を選択する。例えば、健康機器２が体重計ならばサーバ装置Ａを宛先に設定し、血糖計であるならばサーバ装置Ｂに宛先を設定する、のように健康機器によって宛先となるサーバ装置４を選択する。また、生体情報が正常値範囲内にあるかどうかでサーバ装置４を変更することもあり、異常データならば異常データ用のサーバ装置４を宛先として設定する。
【００５３】
＜ステップＳ８＞
通信カード１より、GW装置３へ通信パケットを送信する。通信パケット中には、計測した生体情報やユーザ情報、サーバ装置接続情報が含まれている。
【００５４】
なお、通信カード１がサーバ装置４と直接接続できる場合には、サーバ装置４へ直接通信パケットを送信しても良い。さらに、通信カード１でサーバ装置との通信状況を判定して、通信状態が良好であるならばサーバ装置４へ直接送信する、通信状態が悪化しているならばGW装置３へ送信するというように切り替えても良い。
【００５５】
＜ステップＳ９＞
GW装置３で、通信パケットに含まれるサーバ装置接続情報を参照して、通信パケットの宛先を判定する。なお、本ステップでは通信カード１から生体情報を送信する時に、サーバ装置接続情報を送信しているが、予め通信カード１よりサーバ装置接続情報をGW装置３に送り、サーバ装置４の宛先を設定しておいても良い。
【００５６】
＜ステップＳ１０＞
GW装置３は、サーバ装置４へ通信パケットを転送する。なお、GW装置３とサーバ装置４との間にルータなどの中継装置などがさらに存在する場合には、GW装置３でルータの経路情報を付加して、通信パケットを転送しても良い。
【００５７】
＜ステップＳ１１＞
サーバ装置４は、GW装置３または通信カード１からの通信パケットを受信すると、そこに含まれる生体情報やユーザ情報を蓄積していく。蓄積された情報は外部の機器からの操作で閲覧されたり、健康サービスを実施するためのデータとして使用されたりする。
【００５８】
（通信カードの配布）
図４は、本発明の実施の形態１における通信カードの配布を示す図である。図４において、図１と同じ構成要素については同じ符号を用い、説明を省略する。
【００５９】
図４において、ユーザ宅７中には、体重計２ａ、血糖計２ｂ、体温計２ｃの３つの健康機器がある。ユーザはこの３つの健康機器を用いた健康管理サービスを受けるものとする。
【００６０】
ユーザがサービスを希望する場合、サービスを提供するアプリケーションサービスプロバイダ６（Application Service Provider：以下、ASPと記述）へ、サービスを申し込む。ASP６は、例えば医療保険会社がそれに当てはまり、ユーザの生体情報を収集してそれに見合った健康サービスや保険制度を適用したりする。
【００６１】
ASP６には、サーバ装置４が存在し、ユーザ毎、もしくはサービス毎にユーザ情報や生体情報を管理している。ここで、ユーザのサービス申し込みがあると、その内容に従って通信カード１を発行する。ここでは、ユーザが３つの健康機器に対するサービスに申し込んでおり、３枚の通信カード１をユーザ宅７へ配布するものとする。
【００６２】
ユーザ宅７では、体重計２ａ、血糖計２ｂ、体温計２ｃのそれぞれの健康機器にASP６より配布された通信カード１を挿入して使用し、計測した生体情報をASP６のサーバ装置へと送る。
【００６３】
このとき、各健康機器に使用する通信カード１は健康機器と特定せず、３枚の通信カード１と健康機器のどのような組合せでも動作するものとする。
【００６４】
次に、ASPから配布される通信カードの例を示す。
【００６５】
（配布される通信カードの例）
図５は、本発明の実施の形態１における配布される通信カードの例を示す図である。図５において、図２と同じ構成要素については同じ符号を用い、説明を省略する。
【００６６】
通信カード１の情報蓄積部１１には、サーバ装置接続情報１１２、ユーザ情報１１３と、体重計設定情報１１８、血糖計設定情報１１９、体温計設定情報１２０が記録されている。
【００６７】
体重計設定情報１１８は、通信カードが体重計の動作を設定するための情報であり、体重計用としての健康機器動作情報や、情報蓄積動作情報、サービス情報などが含まれている。同様にして、血糖計設定情報１１９、体温計設定情報１２０についても、それぞれの健康機器の動作を設定する情報を含んでいる。
【００６８】
健康機器認識部１４で、通信カード１が挿入された健康機器を認識すると、その結果に従って使用する設定情報を選択する。例えば、対象となる健康機器が体重計である場合には、体重計設定情報１１８が使用される。
【００６９】
設定情報を使用して計測やサービスを行うと、宛先判定部１６によって、複数のサーバ装置接続情報１１２から宛先となるサーバ装置が選択され、通信パケットとして送信する。
【００７０】
なお、ここでは、ASPから配布された時点で通信カード１に健康機器の設定情報が含まれているが、例えば、設定情報はASPからダウンロードし、ユーザが購入した一般的な通信カード内にユーザ宅７で設定する方法でも良い。
【００７１】
また、健康機器毎に通信カード１を配布しているが、ASPから配布される通信カードは１枚であり、健康機器にはそれを順番に挿入していくことで、通信カード１が健康機器の種別に合わせて動作しても良い。また、ASPから健康機器に通信カードが付属で同梱されてセットで送られてくる方法でも良い。
【００７２】
（複数のユーザ情報を含む通信カード）
なお、ユーザ宅７においてユーザが複数存在する場合には、ユーザに応じて、健康機器動作情報、サーバ装置接続情報、情報蓄積動作情報、サービス情報のいずれかを選択しても良い。
【００７３】
図６は、本発明の実施の形態１における複数のユーザ情報を含む通信カードの例を示す図である。図６において、図５と同じ構成要素については同じ符号を用い、説明を省略する。
【００７４】
通信カード１の情報蓄積部１１には、複数のユーザ情報１１３と設定情報１７ａ、設定情報１７ｂが記録されている。設定情報１７ａ、１７ｂは、それぞれ体重計設定情報１１８、血糖計設定情報１１９、体温計設定情報１２０の少なくとも１つから構成され、ユーザ毎にカスタマイズされた情報である。
【００７５】
例えば、ユーザ情報１１３に含まれているユーザが通信カードを使用すると、使用するユーザに対応するユーザ情報と、それに対応する設定情報１７ａが選択される。また、健康機器認識部１４で健康機器の種別、例えば体重計、を取得することで、設定情報１７ａから対応する健康機器の設定情報である体重計設定情報１１８を選択する。この体重計設定情報１１８を用いて健康機器の設定を行う。さらに、体重計設定情報１１８にサービス情報が含まれている場合には、健康機器でサービスを実行する。
【００７６】
また、ユーザに応じてサーバの宛先を選択する場合には、宛先判定部１６で選択されたユーザ情報１１３に適したサーバ装置接続情報１１２を選択し、通信パケットに含める。このとき、通信パケット内に選択したユーザ情報１１３を含めても良い。
【００７７】
（ユーザ毎の健康機器操作）
図７は、本発明の実施の形態１における使用ユーザ毎の健康機器の操作例を示す図である。
【００７８】
図７に示す表はユーザＡ、ユーザＢが体重計、血糖計、体温計を使用する場合の各健康機器動作を示している。
【００７９】
例えば、ユーザＡが体重計を使用する場合には、「0.5Kgの精度で計測を実施」、「40kg〜60kgまでを正常値として計測」というような動作を設定する。これに対して、ユーザＢが体重計を使用する場合には、「1kgの精度で計測」、「50kg以上を正常値として計測」というように、ユーザＡとは異なった動作を設定する。
【００８０】
また、ユーザＡが血糖計を使用する場合には「使用できない（メニューが表示されない）」となるが、ユーザＢが使用すると「計測メニューを表示」というように、ユーザによって健康機器の使用、不使用を決定しても良い。
【００８１】
また、ユーザＡが体温計を使用する場合には、「10分間隔で計測」、「計測精度は0.5℃」という動作設定に対して、ユーザＢが体温計を使用する場合には、「5分間隔で計測」、「計測精度は0.1℃」に加えて「体温データを蓄積」という動作設定である。このように、使用するユーザによっては、新たに健康機器動作を規定しても良い。
【００８２】
以上の通り、ユーザ毎にカスタマイズされた測定情報によって、健康機器の動作やサービスを制御する。
【００８３】
（健康機器のサービス追加例）
なお、通信カードのサービス情報を用いて、健康機器が本来持つサービスに新たにサービスを追加することも可能である。
【００８４】
図８は、本発明の実施の形態１における血糖計へのサービス追加例を示す図である。図８において、図４と同じ構成要素については同じ符号を用い、説明を省略する。
【００８５】
図８において、通信カード１を挿入していない血糖計２ｂでユーザが選択可能なサービスメニューは、「１．血糖値計測」と「２．血糖値情報表示」の２つである。例えば、「１．血糖値計測」は、血糖値の計測を行うためのサービスであり、「２．血糖値情報表示」は、これまでに計測した血糖値の履歴を表示して確認ことができるサービスである。
【００８６】
ここで、血糖計２ｂに通信カード１を挿入することで、通信カード内のサービス情報が実行される。その結果、「３．血糖値プロファイル」と「４．血糖値送信」のサービスメニューが新たに追加される。ここで、例えば、「３．血糖値プロファイル」は、これまでの血糖値の計測情報の履歴から、血糖値が正常な値を示しているかの判定を示す。また、「４．血糖値送信」は、通信カード１を用いて計測された血糖値の情報をサーバ装置へと送信するサービスである。
【００８７】
（実施の形態２）
（GW装置へのGWカード適用：基本構成）
図９は、本発明の実施の形態２における健康管理システムの全体を示す図である。図９において、図１と同じ構成要素については同じ符号を用い、説明を省略する。
【００８８】
本発明の実施の形態２では、実施の形態１に対してGW装置にGWカードを挿入して使用するところが異なる。
【００８９】
図９において、GWカード８はGW装置に接続、挿入されて使用されるカードであり、通信カード１と通信することでユーザの生体情報を収集したり、WAN通信によってサーバ装置４へ生体情報を送ったりするための装置である。
【００９０】
GWカード８は、例えば、RS-232C、USB、SD、SDIO、コンパクトフラッシュ（登録商標）などのインタフェースを持ったカードが相当する。また、必要に応じて健康機器２の設定情報やユーザ情報、生体情報を蓄積する機能を持つ。
【００９１】
GWカード８は、インターネットなどのWAN接続によるネットワーク５を介して通信カード１がサーバ装置４と通信するための機能を提供する。例えば、通信カード１が非IP通信機能を有しており、サーバ装置４がIP通信機能を有している場合には、GWカード８は非IP通信機能とIP通信用の設定情報を提供する。
【００９２】
通信カード１からは、計測したユーザの生体情報と共に、サーバ装置接続情報が送られてくる。GWカード８は、サーバ装置接続情報を参照して宛先となるサーバ装置４を決定する。なお、GW装置にサーバ装置４の宛先判定機能が存在する場合には、サーバ装置接続情報をGW装置に提供し、GW装置でサーバ装置の宛先を判定しても良い。また、サーバ装置接続情報は、予め設定しておくことも可能であり、通信カード１から予め送られてきた情報を保持していたり、サーバ装置４からダウンロードして取得したりすることもある。
【００９３】
なお、GWカード８は、大容量記憶メモリを持たせることで、例えばUSBメモリのような補助記憶装置として使用しても良い。
【００９４】
（GWカードの格納情報とGW装置動作）
図１０は、本発明の実施の形態２におけるGWカードとGW装置を示す図である。図１０において、図９と同じ構成要素については同じ符号を用い、説明を省略する。
【００９５】
GWカード８は、情報蓄積部８１に通信カード設定情報８１１と健康機器設定情報８１２を持つ。さらに、サービス情報８１３、ユーザ情報８１４、通信パケット８１５、サーバ装置接続情報８１６を持っても良い。また、GWカード８は、通信カードとローカル通信を行うローカル通信インタフェース部８２と、GW装置とのインタフェースであるカード通信インタフェース部８３を持つ。また、通信カードの探索を行うための通信カード探索機能８４や、サーバ装置への宛先を判定するサーバ宛先判定機能８５を持っても良い。なお、GWカード８が大容量記憶メモリを備えており、補助記憶装置の働きをする場合には、情報蓄積部８１は記憶メモリ内に存在しても良いし、ユーザからはアクセスすることのできない他の領域に存在しても良い。
【００９６】
GW装置３は、GWカード８を挿入するGWカードスロット３１を持ち、カード通信インタフェース部８３によってGWカード８との通信を行う。WAN通信インタフェース部３２は、サーバ装置４とネットワークを介してWAN接続するためのインタフェースである。また、GWカード８は、通信カードとの通信情報を設定する通信設定機能３５や、通信情報やサービス情報を入力する情報入力機能３３、通信情報やサービス情報を表示する情報表示機能３４を持っても良い。さらに、GWカード８がサーバ装置からサービス情報８１３をダウンロードする場合には、サービスダウンロード機能３６を持っても良い。
【００９７】
通信カード設定情報８１１は、GWカード８が通信カード１とローカル通信を行うための設定情報である。例えば、ローカル通信が無線によって行われるならば、通信カードのアドレス、周波数帯、使用チャンネルなどが該当する。
【００９８】
健康機器設定情報８１２は、健康機器の動作を設定するための情報であり、健康機器動作設定情報や、計測周期や蓄積周期を設定する情報蓄積動作情報などを含む。
【００９９】
GWカード８は、通信カード探索機能８４からの探索を用いて、通信カード設定情報８１１と、健康機器設定情報８１２を収集する。収集した情報は情報表示機能３４によってユーザに示され、情報入力機能３３によって選択される。選択された通信情報は、通信設定機能３５によってGWカード８に設定される。
【０１００】
サービス情報８１３は、健康機器が使用するサービスやアプリケーションの情報である。GW装置３は、サービスダウンロード機能３６によってサービス情報８１３をサーバ装置４より取得する。
【０１０１】
ユーザ情報８１４は、ユーザの識別情報や生体情報である。
通信パケット８１５は、通信カード１から送られてくるパケットであり、サーバ装置接続情報８１６を含む。通信パケット８１５は、サーバ宛先判定機能８５によって宛先となるサーバ装置４を判定し、GW装置３のWAN通信インタフェース部３２によってサーバ装置へと転送される。
【０１０２】
（サービス情報ダウンロードの通信シーケンスの一例）
図１１は、本発明の実施の形態２におけるサービス情報ダウンロードの通信シーケンスの一例を示す図である。図１１において、図９と同じ構成要素については同じ符号を用い、説明を省略する。
【０１０３】
＜ステップＳ１＞
GWカード８より通信可能な通信カード１が存在するかを探索するため、GWカード８より全ての通信カードアドレスを指定したパケットをブロードキャストで送信する。送信するタイミングは、例えばGWカード８をGW装置３に挿入した時の初期化時などである。
【０１０４】
＜ステップＳ２＞
GWカード８からのブロードキャストパケットを受信した通信カード１は、GWカード８に応答する。応答パケットには、通信カード設定情報と通信カード１が挿入されている健康機器の健康機器設定情報を含める。このとき、通信カード１にGWカード８のアドレスなどの通信設定情報を記録しておいても良い。
【０１０５】
＜ステップＳ３＞
通信カード１からの応答パケットの情報として、通信カード設定情報と健康機器設定情報を内部メモリに記憶する。なお、健康機器情報はローカル通信によって通信カード１から取得する他に、WAN通信によってサーバ装置４から取得しても良い。
【０１０６】
＜ステップＳ４＞
GWカード８からGW装置に健康機器設定情報を送り、GW装置のサービスダウンロード機能を実行する。
【０１０７】
＜ステップＳ５＞
GW装置３より、健康機器設定情報に合わせたサービスのダウンロード要求をサーバ装置４に行う。なお、ステップＳ４とステップＳ５において、ダウンロード要求に用いる情報はユーザ情報や既にGWカード８内で取得しているサービス情報を用いても良い。
【０１０８】
＜ステップＳ６＞
サーバ装置４では、ユーザ毎もしくは健康機器毎にサービス情報を管理している。GW装置３からダウンロード要求を受け取ると、健康機器設定情報に合わせたサービス情報を探索し、GW装置３に応答する。なお、ここで用いるサーバ装置４は、ユーザの生体情報を用いるサーバ装置と同じ装置でも、異なった装置でも良い。
【０１０９】
＜ステップＳ７＞
GW装置よりGWカード８にサービス情報を転送し、GWカード８でサービス情報を記録する。記録されたサービス情報は、新たに健康機器２がつながった場合に利用することが可能となる。
【０１１０】
＜ステップＳ８＞
GWカード８より通信カード１へサービス情報を送る。通信カードで、健康機器設定情報に対応させてサービス情報を記録しておく。なお、GWカード８から通信カード１へのサービス情報の送信は、健康機器２へ計測動作を要求する場合の制御情報に含めて送るなど、計測時にまとめて行っても良い。
【０１１１】
＜ステップＳ９＞
通信カード１から通信カード１が挿入されている健康機器２へサービス情報を送り、健康機器２でサービスを実行する。なお、通信カード１でサービス情報を実行して、その結果を健康機器２に出力する方法でも良い。
【０１１２】
＜ステップＳ１０＞
健康機器２でサービスや計測を実行する。計測やサービスはこれまでの実施の形態で述べた通りである。通信カード１に健康機器動作情報や情報蓄積動作情報が記録されている場合には、同様にして健康機器２の動作を制御する。
【０１１３】
＜ステップＳ１１＞
健康機器２が計測によって取得した生体情報を通信カード１に送る。通信カード１がGWカード８と通信が確立できていない場合や、情報蓄積動作情報によって生体情報を蓄積する場合には、通信カード１もしくは健康機器２に生体情報を記録しておく。
【０１１４】
＜ステップＳ１２＞
通信カード１よりGWカード８へ生体情報やサーバ装置接続情報を含めた通信パケットを送信する。
【０１１５】
＜ステップＳ１３＞
GWカード８はサーバ装置接続情報を参照して、宛先となるサーバ装置４を決定する。宛先決定後にGW装置３のWAN通信インタフェース部を用いて通信パケットを転送する。なお、サーバ装置接続情報によって宛先を判定する機能はGW装置３に存在してもよい。
【０１１６】
（GWカードから複数の通信カードへの通信）
なお、通信カードを挿入した健康機器が複数存在するならば、ユーザの選択によって通信を行う健康機器を設定しても良い。
【０１１７】
図１２は、本発明の実施の形態２におけるGWカードから複数の通信カードへの通信を示す図である。図１２において、図９と同じ構成要素については同じ符号を用い、説明を省略する。
【０１１８】
図１２では、GWカード８を挿入したGW装置３が１台と、通信カード１を挿入した健康機器２が３台存在する。GWカード８は通信対象を探すために、探索を行う。各通信カード１は、GWカードからの探索を受信すると、応答を返信する。通信カードが複数ある場合には同時に応答を返信すると衝突が起こるため、時分割多重等のマルチアクセス方式を用いる。
【０１１９】
なお、GWカード８が予め通信カード１の情報を保持している場合には、探索パケットをブロードキャストで送るのではなく、探索パケットで通信カード１を指定して時間を変えて送ることで、応答パケットの衝突を回避しても良い。
【０１２０】
（健康機器の選択）
通信カード１からの応答がGWカード８によって集められると、GW装置３で応答に含まれる通信カードや健康機器の情報を表示して、ユーザに選択させる。
【０１２１】
図１３は、本発明の実施の形態２におけるユーザによる健康機器の選択の一例を示す図である。
【０１２２】
図１３において、GW装置３の画面には、応答によって集められた健康機器の情報が表示されており、使用する健康機器をユーザが選択することが可能である。例えば、図に示す通り、「体重計」、「血糖計」、「体温計」の３つの健康機器が表示されていると、ユーザはその中から使用する健康機器を選択することができる。ユーザが健康機器を選択すると、選択された健康機器に挿入されている通信カードへ設定情報を送り、サービスを開始する。
【０１２３】
なお、健康機器の情報の他、通信カードの情報を表示してユーザに選択させても良い。また、予めサービスなどで使用する健康機器が決定している場合や、通信カード選択アルゴリズムが決定している場合には、ユーザの選択を行わなくとも良い。
【０１２４】
（実施の形態３）
（通信カードを持ち運ぶ場合のサービス実施の一例）
これまでの実施の形態では、健康機器１つに対して１つの通信カードが割り当てられているが、複数の健康機器がある場合でも、１つの通信カードを用いても良い。
【０１２５】
図１４は、本発明の実施の形態３における通信カードを持ち運ぶ場合のサービス実施の一例を示す図である。図１４において、図４と同じ構成要素については同じ符号を用い、説明を省略する。
【０１２６】
通信カード１には、予め設定情報が記録されている。サービス情報は、体重データと血糖データを取得して健康管理するためのサービス情報や健康機器の動作を設定する情報である。例えば、設定情報に、体重データと血糖データを収集するサービスが含まれているとする。
【０１２７】
通信カード１が体重計２ａに挿入されている場合には、体重計２ａで計測した体重データ１３１が通信カード１に記録される。この通信カード１を一旦抜いて持ち運び、血糖計２ｂに挿入する。血糖計２ｂでは、計測によって血糖データ１３２を通信カード１に記録する。このとき、設定情報の必要な体重データと血糖データが通信カード１内に揃ったため、通信パケットとして、サーバ装置４宛に送信する。
【０１２８】
このように、通信カード内に生体情報を一旦記録しておき、サービスの内容に関連させて、他の生体情報と共に通信パケットとして送信しても良い。このとき、通信カード内の生体情報の記録期間を生体情報の種別、もしくはサービス毎に決定しておき、記録期間が経過した生体情報は使用しなくとも良い。
【０１２９】
（実施の形態４）
（情報機器の利用）
図１５は、本発明の実施の形態４における健康管理システムの全体を示す図である。図１５において、図９と同じ構成要素については同じ符号を用い、説明を省略する。
【０１３０】
本発明の実施の形態４では、実施の形態２に対して通信カードを挿入した情報機器を使用するところが異なる。
【０１３１】
図１５において、情報機器９はユーザが所有している機器であり、例としては、携帯電話、PAD、携帯用のMP３プレイヤーやSDオーディオなどが挙げられる。情報機器９には、通信カード１を挿入するコネクタ、スロットが搭載されている。
【０１３２】
通信カード１を情報機器９に挿入すると、健康機器２で計測した生体情報を取得したり、GWカード８へ取得した生体情報を送信したりすることが可能となる。
【０１３３】
また、通信カード１のサービス情報を利用することで、情報機器が元から持つ機能に、新しくメニューと機能を追加する。
【０１３４】
（情報機器へのサービス追加例）
図１６は、本発明の実施の形態４における情報機器へのサービス追加の一例を示す図である。図１６において、図１５と同じ構成要素については同じ符号を用い、説明を省略する。
【０１３５】
図１６で、情報機器９を例えばMP３ファイルやMPEGファイルを再生する携帯音楽プレイヤーとする。通信カード１を挿入していない場合の情報機器９のメニューは「１．Music」と「２．Video」である。例えば、「１．Music」は情報機器９でMP3を再生して音楽を聴くサービス、「２．Video」はMPEGファイルを再生して動画を視聴するサービスである。
【０１３６】
ここで、情報機器９に通信カード１を挿入すると、新たにメニューとして「３．健康機器設定」と「４．計測データ取得」が表示される。例えば、「３．健康機器設定」は、健康機器にアクセスして状態を設定するサービスであり、「４．計測データ取得」は、健康機器から計測データを取得するサービスである。このサービスに必要な情報は通信カード１から供給され、情報機器９内で実施される。
【０１３７】
＜その他の実施形態例＞
本発明における通信カードとGWカードは、挿入される機器に応じて様々な通信インタフェースを持つことがある。
【０１３８】
図１７から図２０に、本発明におけるその他の通信カードとGWカードの通信インタフェースの形態を示す。
【０１３９】
（１）  GW装置に２枚のカードを挿入
図１７は、本発明においてGW装置に通信カードとGWカードが挿入されている形態を示す図である。
【０１４０】
GW装置３に挿入されている通信カード１は、健康機器に挿入されている通信カードとPAN（Private Area Network）通信を行う。また、GW装置３に挿入されているGWカード８はWAN(Wide Area Network)通信によってサーバ装置と通信を行う。このとき、通信カード１が健康機器の設定や生体情報の収集を行い、GWカード８によって生体情報をサーバ装置へと転送する。
【０１４１】
このように、GW装置３に通信カード１とGWカードの２枚を挿すことによって、健康システムを構成しても良い。
【０１４２】
（２）  GWカードに２つの通信インタフェースを実装
図１８は、本発明においてGW装置に挿入されているGWカードがPAN通信とWAN通信のインタフェースを持つ形態を示す図である。
【０１４３】
GW装置３に挿入されているGWカード８は、２つの通信インタフェースを持ち、通信カードと通信する場合にはPAN通信で、サーバ装置と通信する場合にはWAN通信で行う。このように、GWカード８内に２つの通信インタフェースを実装しても良い。また、このGWカードを通信カードに置き換えても良い。
【０１４４】
（３）  GW装置がPAN通信機能を保持
図１９は、本発明においてGW装置がPAN通信機能を持つ形態を示す図である。
【０１４５】
GW装置３がPAN通信機能のみを持つ場合には、GWカード８にWAN通信インタフェースを実装することでサーバ装置と接続する。このように、GWカード８にWAN通信インタフェースを実装しても良い。
【０１４６】
（４）  健康機器にGWカードを挿入
図２０は、本発明において健康機器にGWカードを挿入した形態を示す図である。
【０１４７】
GWカード８を健康機器２に挿入する場合には、GWカードのWAN通信機能を用いてサーバ装置と通信を行ってもよい。このとき、健康機器２で計測したユーザの生体情報は、GW装置を介さずにサーバ装置へと送られる。
【産業上の利用可能性】
【０１４８】
本発明にかかる健康管理システムは、健康機器に挿入する通信カードを有し、生体情報を収集するシステムとして有用である。また医療保険システム等の用途にも応用できる。
【図面の簡単な説明】
【０１４９】
【図１】本発明の実施の形態１における健康管理システムの全体を示す図
【図２】本発明の実施の形態１における通信カードと健康機器を示す図
【図３】本発明の実施の形態１における通信シーケンスの一例を示す図
【図４】本発明の実施の形態１における通信カードの配布を示す図
【図５】本発明の実施の形態１における配布される通信カードの例を示す図
【図６】本発明の実施の形態１における複数のユーザ情報を含む通信カードの例を示す図
【図７】本発明の実施の形態１における使用ユーザ毎の健康機器の操作例を示す図
【図８】本発明の実施の形態１における血糖計へのサービス追加例を示す図
【図９】本発明の実施の形態２における健康管理システムの全体を示す図
【図１０】本発明の実施の形態２におけるGWカードとGW装置を示す図
【図１１】本発明の実施の形態２におけるサービス情報ダウンロードの通信シーケンスの一例を示す図
【図１２】本発明の実施の形態２におけるGWカードから複数の通信カードへの通信を示す図
【図１３】本発明の実施の形態２におけるユーザによる健康機器の選択の一例を示す図
【図１４】本発明の実施の形態３における通信カードを持ち運ぶ場合のサービス実施の一例を示す図
【図１５】本発明の実施の形態４における健康管理システムの全体を示す図
【図１６】本発明の実施の形態４における情報機器へのサービス追加の一例を示す図
【図１７】本発明においてGW装置に通信カードとGWカードが挿入されている形態を示す図
【図１８】本発明においてGW装置に挿入されているGWカードがPAN通信とWAN通信のインタフェースを持つ形態を示す図
【図１９】本発明においてGW装置がPAN通信機能を持つ形態を示す図
【図２０】本発明において健康機器にGWカードを挿入した形態を示す図
【符号の説明】
【０１５０】
１  通信カード
１１  情報蓄積部
１２  外部通信インタフェース部
１３  カード通信インタフェース部
１４  健康機器認識部
１５  通信パケット
１６  宛先判定部
１７ａ，１７ｂ  設定情報
２  健康機器
２１  通信カードスロット
２２  センサ機能
２３  サービス実施機能
２４  サービス表示機能
２５  サービス選択機能
３  GW装置
３１  GWカードスロット
３２  WAN通信インタフェース部
３３  情報入力機能
３４  情報表示機能
３５  通信設定機能
３６  サービスダウンロード機能
４  サーバ装置
５  ネットワーク
６  ASP
７  ユーザ宅
８  GWカード
８１  情報蓄積部
８２  ローカル通信インタフェース部
８３  カード通信インタフェース部
８４  通信カード探索機能
８５  サーバ宛先判定機能
９  情報機器
【図１】
2009095570.tif 000003
【図２】
2009095570.tif 000004
【図３】
2009095570.tif 000005
【図４】
2009095570.tif 000006
【図５】
2009095570.tif 000007
【図６】
2009095570.tif 000008
【図７】
2009095570.tif 000009
【図８】
2009095570.tif 000010
【図９】
2009095570.tif 000011
【図１０】
2009095570.tif 000012
【図１１】
2009095570.tif 000013
【図１２】
2009095570.tif 000014
【図１３】
2009095570.tif 000015
【図１４】
2009095570.tif 000016
【図１５】
2009095570.tif 000017
【図１６】
2009095570.tif 000018
【図１７】
2009095570.tif 000019
【図１８】
2009095570.tif 000020
【図１９】
2009095570.tif 000021
【図２０】
2009095570.tif 000022